(57)【要約】【課題】印刷の仲介サービスの提供のために利用される処理装置において、消耗品の消費に起因する費用を求めることのできる技術を提供する。【解決手段】ネットワークを介して接続された端末からの印刷要求に従って、ネットワークを介して接続された印刷装置に印刷を実行させる仲介サービスの提供に利用される処理装置は、印刷装置から、端末からの印刷要求に従った印刷の実行に要する消耗品の消費量を取得する消費量取得部と、消費量に応じた費用を算出する費用算出部と、を備える。【選択図】図１０
2007287076.tif 000002
【特許請求の範囲】
【請求項１】
ネットワークを介して接続された端末からの印刷要求に従って、前記ネットワークを介して接続された印刷装置に印刷を実行させる仲介サービスの提供に利用される処理装置であって、
前記印刷装置から、前記端末からの印刷要求に従った印刷の実行に要する消耗品の消費量を取得する消費量取得部と、
前記消費量に応じた費用を算出する費用算出部と、
を備えることを特徴とする処理装置。
【請求項２】
請求項１記載の処理装置であって、さらに、
前記費用を、前記端末を用いて印刷の実行を指示する第１種のユーザに請求する費用請求部を備える、処理装置。
【請求項３】
請求項１または２記載の処理装置であって、
前記端末からの印刷要求は、印刷対象のデータを含んでおり、前記印刷対象データは、前記ネットワークを介して前記端末と前記印刷装置とによって利用される格納部に格納される、処理装置。
【請求項４】
請求項３記載の処理装置であって、さらに、
前記第１種のユーザによる前記プリンタの利用が前記印刷装置によって印刷された印刷物を受け取る第２種のユーザによって許可された場合に、前記第１種のユーザに前記格納部の所在情報を通知する所在情報通知部を備える、処理装置。
【請求項５】
ネットワークを介して接続された端末からの印刷要求に従って、前記ネットワークを介して接続された印刷装置に印刷を実行させる仲介サービスの提供に利用される処理装置によって実行される方法であって、
前記印刷装置から、前記端末からの印刷要求に従った印刷の実行に要する消耗品の消費量を取得する工程と、
前記消費量に応じた費用を算出する工程と、
を備えることを特徴とする方法。
【請求項６】
ネットワークを介して接続された端末からの印刷要求に従って、前記ネットワークを介して接続された印刷装置に印刷を実行させる仲介サービスの提供に利用される処理装置に、処理を実行させるためのコンピュータプログラムであって、
前記印刷装置から、前記端末からの印刷要求に従った印刷の実行に要する消耗品の消費量を取得する機能と、
前記消費量に応じた費用を算出する機能と、
を前記処理装置に実現させるコンピュータプログラム。
【請求項７】
請求項６記載のコンピュータプログラムを記録したコンピュータ読み取り可能な記録媒体。
【発明の詳細な説明】
【技術分野】
【０００１】
本発明は、印刷の仲介サービスの技術に関する。
【背景技術】
【０００２】
近年、インターネットなどのネットワークを介して印刷の仲介サービスを提供するサービスシステムが開発されている。サービスシステムには、インターネットを介して、複数の端末が接続されると共に、複数の印刷装置が接続される。このサービスシステムを利用すれば、例えば、第１のユーザが端末を用いて印刷の実行を指示することによって、第２のユーザの印刷装置に印刷を実行させることができる。
【０００３】
【特許文献１】特開２００１−２３６１８３号公報
【発明の開示】
【発明が解決しようとする課題】
【０００４】
ところで、印刷が実行されると、印刷装置では、印刷材（インクやトナー）や用紙などの消耗品が消費される。消耗品が消費されると、消耗品を補充する必要がある。しかしながら、従来では、仲介サービスにおいて消耗品の補充に要する費用、換言すれば、消耗品の消費に起因する費用は、考慮されていなかった。
【０００５】
この発明は、従来技術における上述の課題を解決するためになされたものであり、印刷の仲介サービスの提供のために利用される処理装置において、消耗品の消費に起因する費用を求めることのできる技術を提供することを目的とする。
【課題を解決するための手段】
【０００６】
上述の課題の少なくとも一部を解決するため、本発明の装置は、ネットワークを介して接続された端末からの印刷要求に従って、前記ネットワークを介して接続された印刷装置に印刷を実行させる仲介サービスの提供に利用される処理装置であって、
前記印刷装置から、前記端末からの印刷要求に従った印刷の実行に要する消耗品の消費量を取得する消費量取得部と、
前記消費量に応じた費用を算出する費用算出部と、
を備えることを特徴とする。
【０００７】
この装置は、印刷装置から消耗品の消費量を取得するため、該消費量を用いることにより、印刷装置における消耗品の消費に起因する費用を算出することができる。
【０００８】
上記の装置において、
前記費用を、前記端末を用いて印刷の実行を指示する第１種のユーザに請求する費用請求部を備えることが好ましい。
【０００９】
こうすれば、印刷の実行を指示する第１種のユーザに消耗品の消費に起因する費用を請求することができる。
【００１０】
上記の装置において、
前記端末からの印刷要求は、印刷対象のデータを含んでおり、前記印刷対象データは、前記ネットワークを介して前記端末と前記印刷装置とによって利用される格納部に格納されることが好ましい。
【００１１】
こうすれば、端末は、印刷装置に直接的にアクセスせずに済む。
【００１２】
上記の装置において、さらに、
前記第１種のユーザによる前記プリンタの利用が前記印刷装置によって印刷された印刷物を受け取る第２種のユーザによって許可された場合に、前記第１種のユーザに前記格納部の所在情報を通知する所在情報通知部を備えることが好ましい。
【００１３】
こうすれば、第２種のユーザは、印刷装置を利用可能なユーザを制限することができる。
【００１４】
この発明は、種々の形態で実現することが可能であり、例えば、仲介サービスの提供に利用される処理装置および方法、これらの方法または装置の機能を実現するためのコンピュータプログラム、そのコンピュータプログラムを記録した記録媒体、そのコンピュータプログラムを含み搬送波内に具現化されたデータ信号、等の形態で実現することができる。
【発明を実施するための最良の形態】
【００１５】
次に、本発明の実施の形態を実施例に基づき以下の順序で説明する。
Ａ．印刷システムの構成：
Ａ−１．管理装置の構成：
Ａ−２．課金装置の構成：
Ａ−３．印刷スプーラの構成：
Ａ−４．プリンタの構成：
Ｂ．印刷システムの処理：
Ｂ−１．前処理：
Ｂ−２．印刷処理：
Ｂ−３．課金処理：
Ｃ．利用例：
【００１６】
Ａ．印刷システムの構成：
図１は、実施例における印刷システムを示す説明図である。図示するように、印刷システムは、印刷の実行を指示する第１のシステムＳＡと、印刷を実行する第２のシステムＳＢと、印刷の仲介サービスを提供する第３のシステム（サービスシステム）ＳＳと、に区分される。
【００１７】
第１のシステムＳＡは、ユーザＡによって使用されるパーソナルコンピュータ５００を含んでいる。コンピュータ５００は、インターネットに接続可能である。第２のシステムＳＢは、ユーザＢによって使用されるパーソナルコンピュータ６００とプリンタ７００とを含んでいる。コンピュータ６００とプリンタ７００とは、それぞれインターネットに接続可能である。また、コンピュータ６００とプリンタとは、ＬＡＮを介して互いに接続されている。第３のシステムＳＳは、管理装置２００と課金装置３００と印刷スプーラ４００とを含んでいる。管理装置２００と課金装置３００と印刷スプーラ４００とは、それぞれインターネットに接続されている。なお、管理装置２００と課金装置３００と印刷スプーラ４００とは、ＬＡＮを介して互いに接続されていてもよい。なお、第１のシステムＳＡおよび第２のシステムＳＢには、通常、外部（インターネット）からの不正なアクセスを防止するためのファイアウォール（図示せず）が設けられている。
【００１８】
本実施例における管理装置２００と課金装置３００とが、本発明における処理装置に相当する。なお、本実施例では、管理装置２００と課金装置３００とは、別の装置であるが、これに代えて、一体化された１つの装置であってもよい。また、本実施例では、管理装置２００と印刷スプーラ４００とは、別の装置であるが、これに代えて、一体化された１つの装置であってもよい。さらに、管理装置２００と課金装置３００と印刷スプーラ４００とが一体化された１つの装置であってもよい。
【００１９】
また、本実施例におけるコンピュータ５００が本発明における端末に相当し、プリンタ７００が本発明における印刷装置に相当する。
【００２０】
なお、図１では、説明の便宜上、第３のシステムＳＳを利用する２つのシステムＳＡ，ＳＢが示されているが、第３のシステムＳＳは、実際には、多数のシステムによって利用される。
【００２１】
以下では、ユーザＡがコンピュータ５００を用いて印刷の実行を指示し、ユーザＢのプリンタ７００で印刷が実行される場合を想定して説明する。
【００２２】
Ａ−１．管理装置の構成：
図２は、図１の管理装置２００の内部構成を示す説明図である。図示するように、管理装置２００は、ＣＰＵ２１０と、ＲＯＭやＲＡＭなどの内部記憶装置２２０と、ハードディスクなどの外部記憶装置２５０と、表示部２６０と、キーボードやマウスなどの操作部２７０と、インターフェース（ＩＦ）部２９０と、を備えている。ＩＦ部２９０は、外部の機器と通信を行うためのインタフェースである。
【００２３】
内部記憶装置２２０には、前処理部２３０および印刷管理部２４０として機能するコンピュータプログラムが格納されている。なお、前処理部２３０および印刷管理部２４０の機能は、ＣＰＵ２１０がコンピュータプログラムを実行することによって実現される。コンピュータプログラムは、ＣＤ−ＲＯＭなどのコンピュータ読み取り可能な記録媒体に記録された形態で提供される。
【００２４】
また、外部記憶装置２５０には、管理データ格納領域２５２と、プリンタドライバ格納領域２５４と、消費量データ格納領域２５６と、が含まれている。
【００２５】
前処理部２３０は、登録部２３２と、問合部２３４と、プリンタドライバ提供部２３６と、を含んでいる。
【００２６】
登録部２３２は、印刷の仲介サービスの利用を希望するユーザ（例えばユーザＡおよびユーザＢ）からの依頼に応じて、ユーザの登録を行う。また、登録部２３２は、登録済みユーザ（例えばユーザＢ）からのプリンタの公開の登録の依頼に応じて、プリンタの公開の登録を行う。登録部２３２は、ユーザの登録およびプリンタの公開の登録の際に、ユーザ毎に管理データを生成して管理データ格納領域２５２に格納する。
【００２７】
なお、プリンタの公開の登録により、特定のユーザ（例えばユーザＢ）が他のユーザ（例えばユーザＡ）によるプリンタの利用を許可する可能性があることを、他のユーザに知らせることができる。ただし、他のユーザ（例えばユーザＡ）が実際にプリンタを利用するためには、特定のユーザ（例えばユーザＢ）による利用の許可が必要である。
【００２８】
問合部２３４は、登録済みの第１のユーザ（例えばユーザＡ）からの依頼に応じて、プリンタを公開した登録済みの第２のユーザ（例えばユーザＢ）に対して、第１のユーザによる該プリンタの利用の可否を問い合わせる。また、問合部２３４は、問い合わせの結果を第１のユーザに通知する。
【００２９】
プリンタドライバ提供部２３６は、プリンタドライバ格納領域２５４に格納された複数種類のプリンタドライバの中から、印刷先のプリンタに適した１種類のプリンタドライバを選択し、第１のユーザに提供する。なお、印刷先のプリンタは、第２のユーザによって公開されたプリンタである。
【００３０】
印刷管理部２４０は、印刷に関する種々の管理を行う機能を有しており、プリンタ情報取得部２４２と、課金情報提供部２４４と、を含んでいる。
【００３１】
プリンタ情報取得部２４２は、プリンタ７００から、プリンタに関する情報（プリンタ情報）を取得する。プリンタ情報は、ステータス情報と、消耗品消費量情報と、を含んでいる。ステータス情報には、エラーの発生の有無などのプリンタの現在の状態が含まれている。消耗品消費量情報には、印刷ジョブ毎の消耗品の消費量が含まれる。なお、消耗品としては、インクやトナーなどの印刷材や、用紙などが挙げられる。プリンタ情報取得部２４２は、消耗品消費量情報を利用して、プリンタを公開するユーザ毎に消費量データを生成して消費量データ格納領域２５６に格納する。
【００３２】
課金情報提供部２４４は、消費量データ格納領域２５６に格納された消費量データを用いて課金用の情報（課金情報）を生成し、課金装置３００に提供する。
【００３３】
なお、本実施例におけるプリンタ情報取得部２４２が本発明における消費量取得部に相当する。また、後述の説明から分かるように、本実施例における問合部２３４が、本発明における所在情報通知部に相当する。
【００３４】
Ａ−２．課金装置の構成：
図３は、図１の課金装置３００の内部構成を示す説明図である。図示するように、課金装置３００は、ＣＰＵ３１０と、内部記憶装置３２０と、外部記憶装置３５０と、表示部３６０と、操作部３７０と、インターフェース（ＩＦ）部３９０と、を備えている。
【００３５】
内部記憶装置３２０には、課金処理部３３０として機能するコンピュータプログラムが格納されている。課金処理部３３０は、費用算出部３３２と費用請求部３３４とを含んでいる。
【００３６】
費用算出部３３２は、管理装置２００から取得した課金情報を用いて、消耗品の消費量に応じた費用を算出する。なお、本実施例では、該費用には、印刷材の消費に起因する第１の費用と、用紙の消費に起因する第２の費用と、が含まれる。
【００３７】
費用請求部３３４は、印刷の実行を指示したユーザ（例えばユーザＡ）に、消耗品の消費量に応じた費用を請求する。
【００３８】
Ａ−３．印刷スプーラの構成：
図４は、図１の印刷スプーラ４００の内部構成を示す説明図である。図示するように、印刷スプーラ４００は、ＣＰＵ４１０と、内部記憶装置４２０と、外部記憶装置４５０と、表示部４６０と、操作部４７０と、インターフェース（ＩＦ）部４９０と、を備えている。
【００３９】
内部記憶装置４２０には、ジョブ管理部４３０として機能するコンピュータプログラムが格納されている。外部記憶装置４５０には、印刷ジョブ格納領域４５２が含まれている。
【００４０】
ジョブ管理部４３０は、コンピュータ５００から印刷ジョブデータを受け取り、該印刷ジョブデータを印刷ジョブ格納領域４５２に格納する。また、ジョブ管理部４３０は、印刷ジョブ格納領域４５２から印刷ジョブデータを読み出して、プリンタ７００に提供する。さらに、ジョブ管理部４３０は、印刷ジョブが印刷ジョブ格納領域４５２に格納された際に、印刷ジョブが存在することを管理装置２００に通知する。
【００４１】
図示するように、印刷ジョブ格納領域４５２は、複数の部分格納領域を含んでおり、各部分格納領域には、互いに異なるＵＲＬ（Uniform Resource Locator）が設定されている。各ＵＲＬは、対応する部分格納領域の所在を示している。後述するように、部分格納領域は、公開されたプリンタによって利用される。
【００４２】
なお、本実施例におけるプリンタ７００によって利用される部分格納領域が本発明における格納部に相当し、該部分格納領域の所在を示すＵＲＬが本発明における所在情報に相当する。
【００４３】
Ａ−４．プリンタの構成：
図５は、図１のプリンタ７００の内部構成を示す説明図である。図示するように、プリンタ７００は、制御部７２０と、液晶パネルなどの表示部７６０と、ボタンなどの操作部７７０と、印刷実行部７８０と、インターフェース（ＩＦ）部７９０と、を備えている。
【００４４】
ＩＦ部７９０は、図示しないＣＰＵとＲＯＭ，ＲＡＭなどのメモリとで構成されており、該メモリには、印刷ジョブ取得部７９２およびプリンタ情報提供部７９４として機能するコンピュータプログラムが格納されている。
【００４５】
印刷ジョブ取得部７９２は、印刷スプーラ４００から印刷ジョブデータを取得する。プリンタ情報提供部７９４は、前述の消耗品消費量情報やステータス情報を含むプリンタ情報を定期的に管理装置２００に提供する。なお、プリンタ情報提供部７９４は、消耗品消費情報とステータス情報とを同じタイミングで管理装置２００に送信してもよいし、異なるタイミングで管理装置２００に送信してもよい。
【００４６】
制御部７２０は、図示しないＣＰＵとＲＯＭ，ＲＡＭなどのメモリとで構成されており、該メモリには、印刷制御部７２２およびプリンタ情報収集部７２４として機能するコンピュータプログラムが格納されている。
【００４７】
印刷制御部７２２は、印刷ジョブ取得部７９２によって取得された印刷ジョブデータを用いて、印刷実行部７８０に印刷を実行させる。プリンタ情報収集部７２４は、前述のプリンタ情報を収集して、プリンタ情報提供部７９４に与える。
【００４８】
なお、コンピュータ５００，６００は周知の構成を採用しているため、詳細な説明は省略する。
【００４９】
Ｂ．印刷システムの処理：
Ｂ−１．前処理：
図６は、印刷システムにおいて実行される第１の前処理の手順を示すフローチャートである。図６では、ユーザＡおよびユーザＢの登録と、ユーザＢのプリンタの公開の登録が行われる。
【００５０】
ステップＳ１０２では、ユーザＡは、管理装置２００にユーザ登録を依頼する。具体的には、ユーザＡは、コンピュータ５００を用いて、管理装置２００によって準備される図示しない登録画面（Ｗｅｂページ）にアクセスし、登録画面を介してユーザ登録を依頼する。この際、ユーザＡによってユーザ登録情報が入力され、管理装置２００に送信される。ユーザ登録情報には、例えば、ユーザの名称や、メールアドレス、住所などが含まれる。
【００５１】
ステップＳ１０４では、管理装置２００の登録部２３２は、ユーザＡにユーザＩＤ（例えばｉｄａ）を割り当てて、ユーザＡの登録を行う。具体的には、登録部２３２は、ユーザＡのユーザＩＤと、コンピュータ５００から与えられたユーザＡのユーザ登録情報と、を関連付けて、ユーザＡの管理データを生成し、該管理データを管理データ格納領域２５２に格納する。また、ステップＳ１０４では、登録部２３２は、ユーザＩＤをユーザＡに通知する。ユーザＩＤの通知は、例えば、ユーザＩＤを登録画面に表示することによって行われてもよいし、ユーザＩＤが記述された電子メールをユーザＡのメールアドレス宛に送信することによって行われてもよい。
【００５２】
ステップＳ１０６では、ユーザＡは、管理装置２００からユーザＩＤ（ｉｄａ）を取得する。
【００５３】
ステップＳ１１２では、ステップＳ１０２と同様に、ユーザＢは、コンピュータ６００を用いて、管理装置２００にユーザ登録を依頼する。
【００５４】
ステップＳ１１４では、ステップＳ１０４と同様に、管理装置２００の登録部２３２は、ユーザＢにユーザＩＤ（例えばｉｄｂ）を割り当ててユーザＢの登録を行うと共に、ユーザＢにユーザＩＤを通知する。この際、登録部２３２は、ユーザＢのユーザＩＤと、コンピュータ６００から与えられたユーザＢのユーザ登録情報と、を関連付けて、ユーザＢの管理データを生成し、該管理データを管理データ格納領域２５２に格納する。
【００５５】
ステップＳ１１６では、ステップＳ１０６と同様に、ユーザＢは、管理装置２００からユーザＩＤ（ｉｄｂ）を取得する。
【００５６】
ステップＳ１２２では、ユーザＢは、さらに、管理装置２００によって準備される登録画面において、プリンタの公開の登録を依頼する。この際、ユーザによってプリンタ７００の機種名が入力され、管理装置２００に送信される。
【００５７】
ステップＳ１２４では、管理装置２００の登録部２３２は、プリンタ７００にＵＲＬ（例えばｕｒｌｂ）を割り当てて、プリンタ７００の公開の登録を行う。具体的には、登録部２３２は、ステップＳ１１４で生成されたユーザＢの管理データに、プリンタ７００に割り当てられたＵＲＬと、コンピュータ６００から与えられたプリンタ７００の機種名と、を追加する。また、ステップＳ１２４では、登録部２３２は、ＵＲＬをユーザＢに通知する。ＵＲＬの通知は、例えば、ＵＲＬを登録画面に表示することによって行われてもよいし、ＵＲＬが記述された電子メールをユーザＢのメールアドレス宛に送信することによって行われてもよい。
【００５８】
本実施例では、プリンタ７００に対するＵＲＬの割り当ては以下のように行われる。登録部２３２は、複数組のＵＲＬと割り当て状況とを含むＵＲＬテーブル（図示せず）を有している。複数のＵＲＬは、印刷スプーラ４００の印刷ジョブ格納領域４５２に含まれる複数の部分格納領域に対応し、予めＵＲＬテーブルに登録されている。登録部２３２は、ＵＲＬテーブルに登録された未割り当ての複数のＵＲＬのうちの１つを選択してプリンタに割り当て、該１つのＵＲＬを割り当て済みに設定する。このように、プリンタ７００に１つのＵＲＬが割り当てられることにより、プリンタ７００に印刷ジョブ格納領域４５２内の１つの部分格納領域が割り当てられる。
【００５９】
なお、本実施例では、管理装置２００の登録部２３２がＵＲＬテーブルを備えているが、これに代えて、印刷スプーラ４００がＵＲＬテーブルを備えるようにしてもよい。この場合には、登録部２３２は、プリンタの公開の登録の依頼を受けた際に、印刷スプーラ４００にＵＲＬの割り当てを依頼し、印刷スプーラ４００からＵＲＬを取得すればよい。
【００６０】
また、ステップＳ１２４では、管理装置２００の登録部２３２は、ユーザＢに、管理装置２００のＩＰアドレス（Internet Protocol Address）を通知する。
【００６１】
ステップＳ１２６では、ユーザＢは、管理装置２００からプリンタ７００に割り当てられたＵＲＬ（ｕｒｌｂ）を取得する。また、ステップＳ１２６では、ユーザＢは、管理装置２００から管理装置２００のＩＰアドレスを取得する。
【００６２】
ステップＳ１３２では、ユーザＢは、プリンタ７００の設定を行う。具体的には、ユーザＢは、コンピュータ６００を用いて、ＬＡＮを介して接続されたプリンタ７００（より具体的にはＩＦ部７９０）にアクセスし、プリンタ７００によって準備される設定画面（Ｗｅｂページ）を介して、プリンタ７００にＵＲＬを設定する。また、ユーザＢは、設定画面を介して、プリンタ７００に、管理装置２００のＩＰアドレスとユーザＢのユーザＩＤとを設定する。
【００６３】
図７は、管理データ格納領域２５２に格納された管理データの内容を模式的に示す説明図である。前述したように、管理データは、ユーザ毎（すなわちユーザＩＤ毎）に生成される。図７では、ユーザＢの管理データが示されている。
【００６４】
ユーザＢの管理データには、ユーザ登録情報とプリンタ登録情報とが含まれている。前述したように、ユーザ登録情報には、ユーザの「名称」や、「メールアドレス」、「住所」などが含まれている。プリンタ登録情報には、プリンタの「機種名」や、プリンタに割り当てられた「ＵＲＬ」などが含まれている。なお、図７に示す「許可ユーザＩＤ」については後述する。
【００６５】
なお、他のユーザの管理データについても同様である。ただし、ユーザがプリンタの公開の登録を依頼しない場合には、該ユーザの管理データには、プリンタ登録情報は含まれない。
【００６６】
図８は、印刷システムにおいて実行される第２の前処理の手順を示すフローチャートである。図８では、ユーザＡがユーザＢのプリンタ７００を利用するための準備が行われる。
【００６７】
ステップＳ２０２では、ユーザＡは、ユーザＢのプリンタ７００の利用の許可を要求する。具体的には、ユーザＡは、コンピュータ５００を用いて、管理装置２００によって準備される図示しないプリンタ公開画面（Ｗｅｂページ）にアクセスし、プリンタ公開画面を介してユーザＢが公開するプリンタ７００の利用の許可を要求する。なお、プリンタ公開画面へのアクセスの際には、認証のために、ユーザＡのユーザＩＤの入力が必要とされる。プリンタ公開画面には、複数のユーザによって公開された複数のプリンタのリストが表示されている。また、プリンタ公開画面には、プリンタ毎に、プリンタに関連するプリンタ関連情報が示されている。本実施例では、プリンタ関連情報には、プリンタを公開するユーザの名称が含まれている。ユーザＡは、プリンタ公開画面において、ユーザＢが公開するプリンタ７００を選択することにより、管理装置２００を介して、ユーザＢが公開するプリンタ７００の利用の許可を要求することができる。
【００６８】
ステップＳ２０４では、管理装置２００の問合部２３４は、ユーザＡに代わって、ユーザＡによるユーザＢのプリンタ７００の利用の可否を、ユーザＢに問い合わせる。例えば、管理装置２００は、問い合わせのメッセージが記述された電子メールをユーザＢのメールアドレス宛に送信する。
【００６９】
ステップＳ２０６では、ユーザＢは、コンピュータ６００を用いて、管理装置２００によって準備される図示しない応答画面（Ｗｅｂページ）にアクセスし、応答画面を介してユーザＡによるユーザＢのプリンタ７００の利用の可否を応答する。なお、応答画面へのアクセスの際には、認証のために、ユーザＢのユーザＩＤの入力が必要とされる。応答画面には、ユーザＢのプリンタ７００の利用を要求する１以上のユーザのリストが表示されている。また、応答画面には、該ユーザ毎に、ユーザに関連するユーザ関連情報が示されている。本実施例では、ユーザ関連情報には、プリンタの利用を要求するユーザの名称が含まれている。ユーザＢは、応答画面において、ユーザＡによるプリンタ７００の利用の可否を決定する。本実施例では、ステップＳ２０６において、ユーザＢは、ユーザＡによるプリンタ７００の利用を許可している。
【００７０】
ステップＳ２０８では、管理装置２００の問合部２３４は、許可されたユーザＡに対して、プリンタ７００に割り当てられたＵＲＬを通知する。該ＵＲＬは、ユーザＢの管理データを参照することによって得られる。なお、ＵＲＬの通知は、例えば、ＵＲＬが記述された電子メールをユーザＡのメールアドレス宛に送信することによって行われる。
【００７１】
また、ステップＳ２０８では、管理装置２００の登録部２３２は、ユーザＢの管理データに、ユーザＢによってプリンタ７００の利用が許可された許可ユーザＡのユーザＩＤを登録する（図７参照）。
【００７２】
ステップＳ２１０では、ユーザＡは、管理装置２００からプリンタ７００に割り当てられたＵＲＬを取得する。
【００７３】
このように、本実施例では、ユーザＡによるプリンタ７００の利用がユーザＢによって許可された場合のみに、ユーザＡにプリンタ７００に割り当てられたＵＲＬが通知されるため、ユーザＢは、プリンタ７００を利用可能なユーザを容易に制限することができる。
【００７４】
ステップＳ２１２では、ユーザＡは、プリンタ７００に適したプリンタドライバの提供を要求する。周知のように、プリンタドライバは、プリンタに適した印刷データを生成するためのプログラムである。プリンタドライバは、プリンタメーカやプリンタの機種に応じて異なっている。このため、ステップＳ２１２では、印刷先であるプリンタ７００に適したプリンタドライバの提供が要求されている。
【００７５】
具体的には、ユーザＡは、コンピュータ５００を用いて、管理装置２００によって準備される図示しないドライバ取得画面（Ｗｅｂページ）にアクセスし、ドライバ取得画面を介してプリンタ７００に適したプリンタドライバの提供を要求する。なお、ドライバ取得画面へのアクセスの際には、認証のために、ユーザＡのユーザＩＤの入力が必要とされる。ドライバ取得画面には、ユーザＡによる利用が許可された１以上のプリンタのリストが表示されている。また、ドライバ取得画面には、前述のプリンタ公開画面と同様に、プリンタ毎にプリンタ関連情報が示されている。ユーザＡは、ドライバ取得画面において、ユーザＢが公開するプリンタ７００を選択し、プリンタ７００に適したプリンタドライバの提供を要求する。
【００７６】
ステップＳ２１４では、管理装置２００のプリンタドライバ提供部２３６は、ユーザＡのコンピュータ５００に対して、プリンタドライバを提供する。この際、プリンタドライバ提供部２３６は、管理データ格納領域２５２に格納されたユーザＢの管理データを参照し、該管理データに含まれるプリンタ７００の機種名に基づいて、プリンタ７００に適したプリンタドライバを選択する。
【００７７】
ステップＳ２１６では、ユーザＡは、コンピュータ５００を用いて、管理装置２００からプリンタ７００に適したプリンタドライバを取得する。そして、ユーザＡは、該プリンタドライバをコンピュータ５００にインストールする。
【００７８】
なお、ステップＳ２０８のＵＲＬの通知と、ステップＳ２１４のプリンタドライバの提供とは、同時に行われてもよい。例えば、電子メールによってＵＲＬの通知とプリンタドライバの提供とが行われてもよい。
【００７９】
また、ステップＳ２１２〜Ｓ２１６の処理は省略可能である。例えば、ユーザＡのコンピュータ５００にプリンタ７００に適したプリンタドライバが既に格納されている場合には、ステップＳ２１２〜Ｓ２１６の処理は不要である。なお、ステップＳ２１２〜２１６の処理を省略する場合には、ステップＳ２０２で表示されるプリンタ公開画面において、プリンタ７００の機種名が表示されるか、ステップＳ２１０においてＵＲＬの通知と共にプリンタ７００の機種名の通知が行われればよい。
【００８０】
Ｂ−２．印刷処理：
図９は、印刷システムにおいて実行される印刷処理の手順を示すフローチャートである。
【００８１】
ステップＳ３０２では、ユーザＡは、プリンタ７００による印刷の実行を指示する。具体的には、ユーザＡは、コンピュータ５００を操作することによって、コンピュータ５００に、印刷ジョブデータを生成させ、該印刷ジョブデータとユーザＡのユーザＩＤとを含む通信データを印刷スプーラ４００に対して送信させる。印刷ジョブデータを含む通信データの送信は、ステップＳ２１０（図８）で取得したＵＲＬを用いて行われる。印刷ジョブデータには、印刷画素毎のドットの形成または非形成を示す印刷データ（ドットデータ）と、ジョブＩＤと、が含まれている。なお、ジョブＩＤは、プリンタドライバによって付与され、印刷ジョブデータ毎に異なっている。
【００８２】
なお、本実施例では、管理装置２００は、プリンタ７００から取得したステータス情報を用いて、プリンタ７００のステータスを示すステータス画面を提供することができる。このため、ユーザＡは、印刷の実行を指示する際に、該ステータス画面においてプリンタ７００のステータスを確認することができる。
【００８３】
ステップＳ３０４では、印刷スプーラ４００のジョブ管理部４３０は、コンピュータ５００から印刷ジョブデータを受信し、印刷ジョブ格納領域４５２に保存する。この際、印刷ジョブデータは、指定されたＵＲＬに対応する印刷ジョブ格納領域４５２内の部分格納領域に保存される。
【００８４】
また、ステップＳ３０４では、ジョブ管理部４３０は、管理装置２００の印刷管理部２４０に、特定のＵＲＬ宛の印刷ジョブデータを受信したことを通知する。具体的には、ジョブ管理部４３０は、印刷管理部２４０に、特定のＵＲＬと、ユーザＡのユーザＩＤと、印刷ジョブデータに含まれるジョブＩＤと、を通知する。この際、印刷管理部２４０は、該特定のＵＲＬに基づいてユーザＢの管理データを参照し、ユーザＡがプリンタを利用可能な許可ユーザであるか否かを確認する。仮に、ユーザＡが許可ユーザでない場合には、印刷管理部２４０は、ジョブ管理部４３０に印刷ジョブデータの保存を禁止させる。
【００８５】
ステップＳ３１２では、プリンタ７００の印刷ジョブ取得部７９２は、管理装置２００に対して、印刷ジョブの有無を問い合わせる。なお、問い合わせ先（すなわち管理装置２００）は、ステップＳ１３２（図６）でプリンタ７００に設定された管理装置２００のＩＰアドレスによって指定される。また、問い合わせの際には、印刷ジョブ取得部７９２は、ステップＳ１３２（図６）でプリンタ７００に設定されたユーザＢのユーザＩＤを送信する。
【００８６】
ステップＳ３１４では、管理装置２００の印刷管理部２４０は、プリンタ７００からの印刷ジョブの有無の問い合わせに応答する。具体的には、印刷管理部２４０は、取得したユーザＢのユーザＩＤに基づいてユーザＢの管理データを参照し、ユーザＢのプリンタ７００に割り当てられたＵＲＬを特定する。そして、印刷管理部２４０は、該ＵＲＬに印刷ジョブデータが存在する旨の通知を印刷スプーラ４００から既に受け取っている場合には、印刷ジョブデータが存在することをプリンタ７００に通知する。他の場合には、印刷管理部２４０は、印刷ジョブデータが存在しないことをプリンタ７００に通知する。本実施例では、ステップＳ３１４において、印刷管理部２４０は、印刷ジョブデータが存在することをプリンタ７００に通知している。
【００８７】
ステップＳ３１６では、プリンタ７００の印刷ジョブ取得部７９２は、管理装置２００から印刷ジョブが存在する旨の通知を受け取る。
【００８８】
ステップＳ３２２では、プリンタ７００の印刷ジョブ取得部７９２は、印刷スプーラ４００に印刷ジョブデータの提供を要求する。印刷ジョブデータの提供の要求は、ステップＳ１３２（図６）でプリンタ７００に設定されたＵＲＬを用いて行われる。また、この際、ステップＳ１３２でプリンタ７００に設定されたユーザＩＤが印刷スプーラ４００に送信される。
【００８９】
ステップＳ３２４では、印刷スプーラ４００のジョブ管理部４３０は、指定されたＵＲＬに対応する印刷ジョブ格納領域４５２内の部分格納領域から印刷ジョブデータを読み出し、該印刷ジョブデータをプリンタ７００に提供する。なお、印刷ジョブデータには、前述したようにジョブＩＤが含まれている。また、ジョブ管理部４３０は、印刷ジョブデータの提供に先行して、プリンタ７００から受け取ったＵＲＬとユーザＩＤとを管理装置２００に通知する。そして、管理装置２００の印刷管理部２４０は、該ＵＲＬに基づいてユーザＢの管理データを参照し、受け取ったユーザＩＤがユーザＢのユーザＩＤと一致するか否かを確認する。一致する場合には、印刷管理部２４０は、ジョブ管理部４３０に印刷ジョブデータの提供を許容する。
【００９０】
なお、本実施例では、ジョブ管理部４３０は、プリンタ７００からの印刷ジョブの提供の要求に応じて直ちに印刷ジョブデータを送信しているが、これに代えて、プリンタ７００が印刷可能な状態であることを確認した後に印刷ジョブデータを送信するようにしてもよい。プリンタ７００が印刷可能な状態であるか否かは、ジョブ管理部４３０が、プリンタからステータス情報を取得する管理装置２００のプリンタ情報取得部２４２に問い合わせることによって知ることができる。
【００９１】
ステップＳ３２５では、ジョブ管理部４３０は、送信済みの印刷ジョブデータを印刷ジョブ格納領域４５２から削除する。
【００９２】
ステップＳ３２６では、プリンタ７００の印刷ジョブ取得部７９２は、印刷スプーラ４００から印刷ジョブデータを取得する。
【００９３】
ステップＳ３２７では、プリンタ７００の印刷ジョブ取得部７９２は、印刷ジョブデータを印刷制御部７２２に供給する。印刷制御部７２２は、印刷ジョブデータに含まれる印刷データ（ドットデータ）を用いて、印刷実行部７８０に印刷を実行させる。これにより、ユーザＡによって指示された印刷がプリンタ７００によって実行され、ユーザＢは印刷物を受け取ることができる。
【００９４】
このように、本実施例では、印刷ジョブデータは、印刷スプーラ４００を介して、コンピュータ５００からプリンタ７００に送信されるため、コンピュータ５００は、プリンタ７００に直接的にアクセスせずに済む。
【００９５】
なお、本実施例では、印刷管理部２４０は、ジョブ管理部４３０から、印刷ジョブデータが存在する旨の通知を予め受け取っており、プリンタ７００からの印刷ジョブの有無の問い合わせに直ちに応答している。しかしながら、これに代えて、印刷管理部２４０は、プリンタ７００からの印刷ジョブの有無の問い合わせを受け取った際に、ジョブ管理部４３０に印刷ジョブデータの有無を問い合わせ、その後、ジョブ管理部４３０からの応答をプリンタ７００に通知するようにしてもよい。ただし、本実施例のようにすれば、印刷管理部２４０は、ジョブ管理部４３０が印刷ジョブデータを受け取った場合にだけ、ジョブ管理部４３０と通信すれば済むため、印刷管理部２４０とジョブ管理部４３０との間の通信回数を低減することができる。
【００９６】
Ｂ−３．課金処理：
図１０は、印刷システムにおいて実行される課金処理の手順を示すフローチャートである。
【００９７】
ステップＳ４０２では、プリンタ７００は、消耗品の消費量を管理装置２００に通知する。具体的には、プリンタ情報収集部７２４は、印刷ジョブ毎に、消耗品（印刷材および用紙）の消費量を求める。印刷材の消費量は、印刷データを解析することによって求められてもよいし、印刷実行前の印刷材の残量と印刷実行後の印刷材の残量との差を算出することによって求められてもよい。なお、印刷材の残量は、インクの液面位置を測定するセンサや、トナーの重量を測定するセンサの検出結果に基づいて決定される。また、用紙の消費量は、印刷データを解析することによって求められてもよいし、用紙トレイからの用紙の排出枚数をカウントすることによって求められてもよい。そして、プリンタ情報提供部７９４は、プリンタ情報収集部７２４から印刷ジョブ毎の消耗品の消費量を取得し、ジョブＩＤと消耗品の消費量とを含む消耗品消費量情報を管理装置２００に送信する。なお、ステップＳ３１２と同様に、通知先（すなわち管理装置２００）は、管理装置２００のＩＰアドレスによって指定される。また、通知の際には、プリンタ情報提供部７９４は、ユーザＢのユーザＩＤを送信する。
【００９８】
ステップＳ４０４では、管理装置２００のプリンタ情報取得部２４２は、プリンタ７００から、ジョブＩＤと消耗品の消費量とを含む消耗品消費量情報を取得する。そして、プリンタ情報取得部２４２は、消耗品消費量情報に基づいて、消費量データを生成し、消費量データ格納領域２５６に格納する。
【００９９】
図１１は、消費量データ格納領域２５６に格納された消費量データの内容を模式的に示す説明図である。本実施例では、消費量データは、プリンタを公開するユーザ毎（すなわちユーザＩＤ毎）に生成される。図１１では、ユーザＢの消費量データが示されているが、他のユーザの消費量データについても同様である。
【０１００】
図示するように、消費量データは、プリンタ７００を利用したユーザの「ユーザＩＤ」と、印刷ジョブの「ジョブＩＤ」と、「印刷材消費量」と、「用紙消費量」と、を含むデータ要素群を含んでいる。なお、図１１では、消費量データには、１つのデータ要素群のみが含まれているが、複数のデータ要素群が含まれ得る。各データ要素群に含まれるユーザＩＤとジョブＩＤとの少なくとも一方は、互いに異なっている。
【０１０１】
なお、プリンタを利用したユーザＡのユーザＩＤは、本実施例では、以下のように特定されている。前述したように、管理装置２００の印刷管理部２４０は、ステップＳ３０４（図９）において、印刷スプーラ４００から、ユーザＡのユーザＩＤと、ジョブＩＤと、を取得している。そして、ステップＳ４０４（図１０）では、プリンタ情報取得部２４２は、プリンタ７００からジョブＩＤを取得している。このため、プリンタ情報取得部２４２は、プリンタ７００から取得したジョブＩＤを利用して、該ジョブＩＤを有する印刷ジョブを発行したユーザＡのユーザＩＤを特定することができる。
【０１０２】
そして、ステップＳ４０４では、管理装置２００の課金情報提供部２４４は、課金用の情報（課金情報）を生成して、課金装置３００に通知する。課金情報は、ユーザＢの消費量データを利用して作成され、ユーザＡのメールアドレスと、ジョブＩＤと、該ジョブＩＤに対応する消耗品（印刷材および用紙）の消費量と、を含んでいる。なお、ユーザＡのメールアドレスは、消費量データに含まれるユーザＡのユーザＩＤに基づいて、ユーザＡの管理データを参照することによって得られる。
【０１０３】
ステップＳ４１０では、課金装置３００の費用算出部３３２は、与えられた課金情報に基づいて、消耗品の消費に起因する費用を算出する。具体的には、費用算出部は、印刷材の消費量と印刷材の単価とを用いて、印刷材の消費に起因する第１の費用を算出すると共に、用紙の消費量と用紙の単価とを用いて、用紙の消費に起因する第２の費用を算出する。
【０１０４】
ステップＳ４１２では、課金装置３００の費用請求部３３４は、与えられた課金情報に基づいて、ステップＳ４１０で算出された消耗品の消費に起因する費用の支払いをユーザＡに対して請求する。支払いの請求は、例えば、費用と支払先とが記述された電子メールをユーザＡのメールアドレス宛に送信することによって行われる。
【０１０５】
ステップＳ４１４では、ユーザＡは、費用の支払いの請求を受け取り、指定された支払先に費用を支払う。
【０１０６】
ステップＳ４１６では、課金装置３００は、ユーザＡから受け取った費用をユーザＢに返還し、ステップＳ４１８では、ユーザは、費用を受け取る。
【０１０７】
なお、費用の返還は、種々の態様で実現可能であり、例えば、ユーザＢに対して現金やクーポン券を付与したり、ユーザＢに課される印刷の仲介サービスの利用料の一部と相殺したりすることによって実現される。また、仲介サービス提供者が消耗品の補充サービスを提供している場合には、費用の返還は、消耗品の補充によって実現されてもよい。
【０１０８】
前述したように、消耗品が消費されると消耗品を補充する必要があるが、従来では、消耗品の補充に要する費用、換言すれば、消耗品の消費に起因する費用については、考慮されていなかった。このため、該費用の負担についても、考慮されておらず、従来では、該費用は、プリンタ７００を所有するユーザによって負担されていた。
【０１０９】
しかしながら、本実施例では、管理装置２００は、プリンタ７００から消耗品の消費量を取得するため、課金装置３００は、該消費量を用いることにより、プリンタ７００における消耗品の消費に起因する費用を算出することができる。特に、本実施例では、課金装置３００は、印刷の実行を指示するユーザＡに消耗品の消費に起因する費用を請求するため、該費用はユーザＡによって負担され、印刷物を受け取ったユーザＢは該費用を負担せずに済む。
【０１１０】
例えば、第１のユーザによって印刷の実行が指示され、第２のユーザのプリンタによって印刷が実行される場合に、印刷物を受け取った第２のユーザは、該印刷物を無用であると考える場合がある。従来の印刷システムでは、このような場合にも、消耗品の消費に起因する費用は、印刷物を受け取る第２のユーザが負担しており、不合理であった。しかしながら、本実施例を採用すれば、印刷物を受け取る第２のユーザは、消耗品の消費に起因する費用を負担せずに済むため、第２のユーザは、印刷物が有用であるか否かを気にせずに済む。
【０１１１】
Ｃ．利用例：
本実施例では、ユーザＡが印刷の実行を指示し、ユーザＢが印刷物を受け取っている。ユーザＡとユーザＢとが共に個人である場合には、ユーザＡは、自己の作成した文書等をユーザＢに提供することができる。また、ユーザＡが事業者でありユーザＢが顧客である場合には、ユーザＡは、店舗の広告や、店舗で利用可能なクーポン券や割引券、ショッピングの領収書等を、ユーザＢに提供することができる。
【０１１２】
ところで、本実施例では、ステップＳ２０２（図８）において、ユーザＡは、プリンタ公開画面においてプリンタを公開するユーザＢの名称を含むプリンタ関連情報を確認することによって、ユーザＢのプリンタ７００を選択している。プリンタ関連情報には、プリンタを公開するユーザの名称だけでなく、他の情報が含まれていることが好ましい。例えば、プリンタ関連情報にプリンタを公開するユーザの居住地域が含まれていてもよい。こうすれば、ユーザＡが事業者である場合に、店舗の周辺に居住するユーザのプリンタのみを容易に選択することができる。また、プリンタ関連情報にプリンタを公開するユーザの趣向が含まれていてもよい。こうすれば、ユーザＡが事業者である場合に、興味を示す可能性の高いユーザのプリンタのみを容易に選択することができる。
【０１１３】
また、本実施例では、ステップＳ２０６（図８）において、ユーザＢは、応答画面においてプリンタの利用を要求するユーザＡの名称を含むユーザ関連情報を確認することによって、ユーザＡにプリンタ７００の利用を許可している。ユーザ関連情報には、プリンタの利用を要求するユーザの名称だけでなく、他の情報が含まれていることが好ましい。例えば、ユーザ関連情報にプリンタの利用を要求するユーザの居住地域が含まれていてもよい。こうすれば、プリンタの利用を要求するユーザが事業者である場合に、ユーザＢは、自己の居住地域の周辺に店舗を有するユーザのみを容易に選択してプリンタ７００の利用を許可することができる。また、ユーザ関連情報にプリンタの利用を要求するユーザのホームページアドレスが含まれているようにしてもよい。こうすれば、プリンタの利用を要求するユーザが事業者である場合に、ユーザＢは、ホームページを参照することにより、興味のある印刷物を提供する可能性の高いユーザのみを容易に選択してプリンタ７００の利用を許可することができる。
【０１１４】
なお、この発明は上記の実施例や実施形態に限られるものではなく、その要旨を逸脱しない範囲において種々の態様で実施することが可能であり、例えば次のような変形も可能である。
【０１１５】
（１）上記実施例では、第３のシステムＳＳを利用することによって、ユーザＡがコンピュータ５００を用いて印刷の実行を指示し、ユーザＢがプリンタ７００で印刷された印刷物を受け取る場合について説明したが、ユーザＢがコンピュータ６００を用いて印刷の実行を指示し、ユーザＢ自身がプリンタ７００で印刷された印刷物を受け取ることも可能である。また、ユーザＡがコンピュータ５００を用いて印刷の実行を指示し、ユーザＢ（例えば印刷代行者）の所有するプリンタ７００で印刷された印刷物をユーザＡが受け取るようにしてもよい。
【０１１６】
一般には、端末は、第１種のユーザの指示に従って印刷要求を発行し、印刷装置は、第２種のユーザによって受け取られる印刷物を印刷すればよい。上記の説明から分かるように、第１種のユーザは、第２種のユーザと異なっていてもよいし、同じであってもよい。
【０１１７】
（２）上記実施例では、ユーザＡのコンピュータ５００は、印刷データ（ドットデータ）を含む印刷ジョブデータを印刷スプーラ４００に送信している。しかしながら、これに代えて、ユーザＡのコンピュータ５００は、印刷データに変換される前の画像データを含む印刷ジョブデータを印刷スプーラ４００に送信するようにしてもよい。この場合には、画像データから印刷データへの変換は、印刷スプーラ４００によって実行されてもよいし、プリンタ７００によって実行されてもよい。すなわち、コンピュータ５００とプリンタ７００とによって利用される格納部に、印刷対象の画像データまたは印刷データが格納されればよい。
【０１１８】
（３）上記実施例では、消耗品の消費量は、印刷材の消費量と用紙の消費量とを含んでいるが、これに代えて、２つの消費量のうちの少なくとも一方を含むようにしてもよい。
【０１１９】
（４）上記実施例において、ハードウェアによって実現されていた構成の一部をソフトウェアに置き換えてもよく、逆に、ソフトウェアによって実現されていた構成の一部をハードウェアに置き換えてもよい。
【図面の簡単な説明】
【０１２０】
【図１】実施例における印刷システムを示す説明図である。
【図２】図１の管理装置２００の内部構成を示す説明図である。
【図３】図１の課金装置３００の内部構成を示す説明図である。
【図４】図１の印刷スプーラ４００の内部構成を示す説明図である。
【図５】図１のプリンタ７００の内部構成を示す説明図である。
【図６】印刷システムにおいて実行される第１の前処理の手順を示すフローチャートである。
【図７】管理データ格納領域２５２に格納された管理データの内容を模式的に示す説明図である。
【図８】印刷システムにおいて実行される第２の前処理の手順を示すフローチャートである。
【図９】印刷システムにおいて実行される印刷処理の手順を示すフローチャートである。
【図１０】印刷システムにおいて実行される課金処理の手順を示すフローチャートである。
【図１１】消費量データ格納領域２５６に格納された消費量データの内容を模式的に示す説明図である。
【符号の説明】
【０１２１】
２００…管理装置
２１０…ＣＰＵ
２２０…内部記憶装置
２３０…前処理部
２３２…登録部
２３４…問合部
２３６…プリンタドライバ提供部
２４０…印刷管理部
２４２…プリンタ情報取得部
２４４…課金情報提供部
２５０…外部記憶装置
２５２…管理データ格納領域
２５４…プリンタドライバ格納領域
２５６…消費量データ格納領域
２６０…表示部
２７０…操作部
２９０…インタフェース（ＩＦ）部
３００…課金装置
３１０…ＣＰＵ
３２０…内部記憶装置
３３０…課金処理部
３３２…費用算出部
３３４…費用請求部
３５０…外部記憶装置
３６０…表示部
３７０…操作部
３９０…インタフェース（ＩＦ）部
４００…印刷スプーラ
４１０…ＣＰＵ
４２０…内部記憶装置
４３０…ジョブ管理部
４５０…外部記憶装置
４５２…印刷ジョブ格納領域
４６０…表示部
４７０…操作部
４９０…インタフェース（ＩＦ）部
５００…コンピュータ
６００…コンピュータ
７００…プリンタ
７２０…制御部
７２２…印刷制御部
７２４…プリンタ情報収集部
７６０…表示部
７７０…操作部
７８０…印刷実行部
７９０…インタフェース（ＩＦ）部
７９２…印刷ジョブ取得部
７９４…プリンタ情報提供部
【図１】
2007287076.tif 000003
【図２】
2007287076.tif 000004
【図３】
2007287076.tif 000005
【図４】
2007287076.tif 000006
【図５】
2007287076.tif 000007
【図６】
2007287076.tif 000008
【図７】
2007287076.tif 000009
【図８】
2007287076.tif 000010
【図９】
2007287076.tif 000011
【図１０】
2007287076.tif 000012
【図１１】
2007287076.tif 000013